(57)【要約】【課題】情報提供のためにクライアント側担当者に大きい負担をかけないこと。【解決手段】サーバ１と、サーバ１に双方向に接続するクライアント２とから構成されている。サーバ１にはクライアント２に対応する設定情報４が設定されている。設定情報４は順番を含む。クライアントは情報入手先５からその順番に基づいて入手する検索対象画面をその順番に基づいて自動的に切り替える。クライアント２は、サーバの支援を受けて、既存の膨大なデータから希望の情報を自動的に見読性公開情報群から編集的に入手することができる。【選択図】          図１
2004220380.tif 000002
【特許請求の範囲】
【請求項１】
サーバと、
前記サーバに双方向に接続するクライアントとを構成し、
前記サーバには前記クライアントに対応する設定情報が設定され、
前記設定情報は順番を含み、
前記クライアントは情報入手先から前記順番に基づいて入手する検索対象画面を前記順番に基づいて切り替える
情報提供システム。
【請求項２】
前記情報入手先はインタネットに属している
請求項１の情報提供システム。
【請求項３】
前記設定情報は前記検索対象画面に対応するアドレスを更に含む
請求項２の情報提供システム。
【請求項４】
前記設定情報はタイマ値を更に含み、
前記検索対象画面は前記タイマ値に基づく時間幅で表示される
請求項３の情報提供システム。
【請求項５】
前記クライアントはスクリーンセーバを形成し、前記スクリーンセーバはＷＥＢブラウザを起動する
請求項１又は２の情報提供システム。
【請求項６】
前記サーバはＷＥＢサーバである
請求項５の情報提供システム。
【請求項７】
前記設定情報は、
前記検索対象画面に対応するアドレスと、
タイマ値とを更に含み、
前記検索対象画面は前記タイマ値に基づく時間幅で表示される
請求項１又は２の情報提供システム。
【請求項８】
前記クライアントはスクリーンセーバを形成し、前記スクリーンセーバはＷＥＢブラウザを起動する
請求項１〜７から選択される１請求項の情報提供システム。
【請求項９】
クライアントに対応する設定情報をＷＥＢサーバに設定するステップを構成し、
前記設定情報は順番を含み、
クライアントをスクリーンセーバにより前記ＷＥＢサーバに接続するステップと、
前記ＷＥＢサーバから前記クライアントに前記順番を送信するステップとを更に構成し、
前記クライアントは前記順番に対応する検索対象画面を情報入手先から前記順番に基づいて入手して表示する
情報提供方法。
【請求項１０】
前記入手先はインタネットに属している
請求項９の情報提供方法。
【請求項１１】
前記クライアントはスクリーンセーバにより前記ＷＥＢサーバにアクセスする
請求項９の情報提供方法。
【請求項１２】
前記設定情報は前記検索画面に対応するアドレスを更に含む
請求項９〜１１から選択される１請求項の情報提供方法。
【請求項１３】
前記設定情報は前記検索画面を前記クライアントの側で表示する表示時間幅を更に含む
請求項１２の情報提供方法。
【発明の詳細な説明】
【０００１】
【発明の属する技術分野】
本発明は、情報提供システム、及び、情報提供方法に関し、特に、サーバの支援下でインタネット内のページを自動的に検索する情報提供システム、及び、情報提供方法に関する。
【０００２】
【従来の技術】
多様な情報がメールで通知されて提供されている。メールにより提供される情報は、文字、図形のように見読性があるデータとして提供されている。メール到着の確認のためには、クライアント側で操作が要求される。通知により入手される入手情報の限定をクライアント側で設定することは、入手希望情報に限定することができる点で望まれている。クライアント側のそのような限定の設定の作業は、情報元の情報量（例示：ＷＥＢページ量）の爆発的増大に対して追いつかない状況にある。公知技術では、情報提供者は情報そのものを用意している。現在の既存のＷＷＷの情報は膨大であり、通知対象情報の大半は既にＷＷＷ上に存在していて、それらを新たに登録することは無駄になることが多い。
【０００３】
メールが届く度にそのような操作を強いられることは受信者には煩わしく、郵便により大量に届く手紙が読まれないことがあるように、読まれないメールが多く残存することが起こり得る。メールが届く度にメールの到着を確認する作業は、業務の頻繁な中断を招いている。多くのメールをまとめて見ることは、見ようとする意欲を減退させる。新しい情報源の増大の認識に対応する設定変更作業は、クライアント側担当者に強い自主性の負担が強いられる。
【０００４】
クライアントに有益である情報を適正に提供する技術は、後掲特許文献１で知られている。入手情報の性質がクライアントにより設定的に限定される技術では、更に、クライアント側の担当者に大きい負担をかけないことが求められる。
【０００５】
【特許文献１】
特開２００１−２０２３１０号
【０００６】
【発明が解決しようとする課題】
本発明の課題は、クライアント側担当者に大きい負担をかけない情報提供システム、及び、情報提供方法を提供することにある。
【０００７】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００８】
本発明による情報提供システムは、サーバ（１）と、サーバ（１）に双方向に接続するクライアント（２）とから構成されている。サーバ（１）にはクライアント（２）に対応する設定情報（４）が設定されている。設定情報（４）は順番を含む。クライアントは情報入手先（５）からその順番に基づいて入手する検索対象画面をその順番に基づいて自動的に切り替える。クライアント（２）は、サーバの支援を受けて、既存の膨大なデータから希望の情報を自動的に見読性公開情報群から編集的に入手することができる。サーバ（１）は、膨大な情報の全てを保持しないですむ。
【０００９】
情報入手先は、特にはインタネットに属している。クライアントは、タイムリーにインタネットに貯蔵されている膨大なページの中から自己に適性に選択されるページを自動的に選択して自己のディスプレイに表示することができる。
【００１０】
設定情報（４）は、検索対象画面に対応するアドレスを更に含むアドレスに基づいて指定順番通りに希望の情報を適正時間幅で読み取ることができる。
【００１１】
設定情報はタイマ値を更に含むことが特に好都合である。画面の切換を自動的に時間的に適正化することができる。検索対象画面は、タイマ値に基づく時間幅で表示されることが好ましい。
【００１２】
クライアントはスクリーンセーバ（３）を形成し、スクリーンセーバ（３）はＷＥＢブラウザを起動し、画面表示の自動化が容易である。サーバは、ＷＥＢサーバであることが好ましい。設定情報は、検索対象画面に対応するアドレスと、タイマ値とを更に含むことが顕著に有効である。検索対象画面はタイマ値に基づく時間幅で表示され、既述の順番通りの画面の切替えがより有効に自動化される。
【００１３】
本発明による情報提供方法は、クライアント（２）に対応する設定情報（４）をＷＥＢサーバ（１）に設定するステップから構成されている。設定情報は順番を含む。クライアントをスクリーンセーバによりＷＥＢサーバに接続するステップと、ＷＥＢサーバ（１）からクライアント（２）にその順番を送信するステップとが更に構成されている。クライアント（２）は順番に対応する検索対象画面を情報入手先からその順番に基づいて入手して表示する。そのような順番は、情報入手を自動化することができる。
【００１４】
クライアント（２）はスクリーンセーバ（３）に従って自動的にＷＥＢサーバ（１）にアクセスするので、アクセスの自動化が適正時間に実行され得る。設定情報（４）は検索画面に対応するアドレスを更に含むことが顕著に好ましい。アドレスにより自動的検索が可能である。設定情報（４）は検索画面をクライアントの側で表示する表示時間幅を更に含むことが好都合である。
【００１５】
【発明の実施の形態】
図に対応して、本発明による情報提供システムは、サーバがクライアントに双方向に接続されて設けられている。そのサーバ１として、図１に示されるように、ＷＥＢサーバが示されている。そのクライアント２は、サーバ１に双方向に接続している。クライアント２には、スクリーンセーバ３が組み込まれて属している。スクリーンセーバ３は、ＷＥＢブラウザを自動的に起動する。スクリーンセーバ３に連動するＷＥＢブラウザによりサーバ１に自動的にアクセスすることができる。
【００１６】
サーバ１には、情報提供限定事項４が設定される。情報提供限定事項４は、クライアント２の希望に基づいて設定され得る。情報提供限定事項４には、下記４事項が含まれて登録されている。
（１）希望表示画面のアドレス
（２）表示画面の順番を表す順番値
（３）表示画面の表示時間を表すタイマ値
（４）表示画面のＵＲＬ
【００１７】
表示順番としては、正の整数が好適に用いられる。画面は、その整数が小さい順に表示され、その整数は連続的又は非連続的である。１，２，３・・・，ｎは連続的であり、１０，１００，２００，９００，１０００，２０００・・・は非連続的であり、１００と２００の間は、今後に増加する画面のための空番として離散的に設けられている。
【００１８】
図２は、本発明による情報提供方法の実施の形態を示している。クラインアントの操作がない時間が設定時間幅になれば、スクリーンセーバ３はＷＥＢサーバを自動的に立ち上げ、クライアント２はサーバのページＡにアクセスする（ステップＳ１）。そのアクセスを受けたサーバ１は、自己内に設定されているパラメータとして設定情報（クライアントにそれぞれに対応するアドレス、順番値、タイマ値、ＵＲＬ）の順番値を取得する。初期には順番は設定されていない。サーバ１は、順番が自己内に設定されていない場合には、順番の最小値（既述の例示では１）より小さい値である−１を順番値として取得する。又は、自己内に設定されている順番が順番列の最大値以上の値である場合には、サーバ１は−１を順番値として取得する。そのアクセスが最初である場合には順番は設定されていないので、最小値より小さい値である−１が順番値として取得される。サーバ１は、設定登録されている順番列の中から、取得順番値より大きく、その順番列の中で最小である順番数である次の順番値を検索して求め、その最小値を新たな順番値として取得する。サーバ１は、次に、そのように順次に求められる順番値列のそれぞれの順番値にそれぞれに対応するＵＲＬとタイマ値を取得する。
【００１９】
サーバ１は、ページＡに関して、順番値列の順番値に対応する順番でその順番値を指定して（ステップＳ２）、順番値に対応するフレームを作成する。サーバ１は、そのフレームにＵＲＬを表示する。ＵＲＬは、サーバ１のアドレスである必要はない。サーバ１は、順番値列上の最初の順番値に対応するフレームを編集して編集ページ６（図１参照）を作成し、そのフレームにアドレスと順番値とタイマ値を対応付けそれぞれにＵＲＬを表示して、その編集ページをクライアント２に送信する（ステップＳ２）。
【００２０】
次に、クライアント２はインタネット５にアクセスして（ステップＳ３）、取得済みのフレームに指定されているＵＲＬ対応ページをアドレスに基づいてインタネット５から取込む（ステップＳ４）。ステップＳ４で取り込まれたＵＲＬ対応ページは、クライアント２の表示画面に画面表示情報としてタイマ値に対応する時間幅で表示される（ステップＳ５）。その表示時間が経過すれば、現在の順番値を順番値列の中の次の順番に指定してサーバ１にアクセスする（ステップＳ６）。ステップＳ２が繰り返され、次の順番値に対応するＵＲＬ対応ページは、クライアント２にインタネット５から取り込まれて、クライアント２の表示画面に指定されているタイマ値の時間幅で表示される。
【００２１】
全順番値に対応するフレーム列の編集ページの表示が完了し、全キーイベント又は全マウスイベントが発生すれば、クライアント２はスクリーンセーバ３から抜け出る。
【００２２】
メンバーが一人一台のクライアントに対応することが好ましい。メンバーが一人一台のクライアントに対応する環境下では、クライアント側の操作が不要になり、担当者の情報入手意志に依存せずに、クライアントに希望データを自動的に提供することができて、システム内の情報伝達性が飛躍的に向上する。
【００２３】
サーバの側に設定されている設定情報に基づいて情報公開が行われ、クライアントの側の保守は、容易であり、又は、不要である。
【００２４】
スクリーンセーバが設けられていて、クライアントの側の操作が行われていない間に自動的に情報伝達が行われ、クライアントの有効利用性が向上する。
【００２５】
【発明の効果】
本発明による情報提供システム、及び、情報提供方法は、クライアント側担当者に大きい負担をかけずにタイムリーに自動的に情報を提供することができる。
【図面の簡単な説明】
【図１】図１は、本発明による情報提供システムの実施の形態を示すシステムブロックである。
【図２】図２は、本発明による情報提供方法の実施の形態を示すシーケンス図である。
【符号の説明】
１…サーバ
２…クライアント
３…スクリーンセーバ
４…設定情報
５…情報入手先（インタネット）
【図１】
2004220380.tif 000003
【図２】
2004220380.tif 000004